(57)【要約】【課題】排気口の位置をあわせる作業が容易となるレンジフードを提供する。【解決手段】  レンジフード１は、フード１０と、本体ケース２０と、天板セット３０とを備えている。吸込口１１がフード１０の下面１０ｂに設けられている。本体ケース２０は、壁部２１と、開口部２２とを含んでいる。壁部２１は、フード１０の上面１０ａから上方に突き出している。開口部２２は、吸込口１１と向かい合うように壁部２１に設けられている。天板セット３０は、天板３１と、ファンケース３２と、ファン３３とを含んでいる。天板３１は、排気口３１ａが設けられかつ本体ケース２０の開口部２２に重なるように壁部２１に着脱可能に取り付けられる。ファンケース３２およびファン３３が開口部２２から壁部２１内に収容されるように天板３１が壁部２１に着脱可能に取り付けられることにより、天板セット３０は本体ケース２０に着脱可能に取り付けられる。【選択図】図４
2020106190.tif 000002
【特許請求の範囲】
【請求項１】
上面および下面を有し、吸込口が前記下面に設けられたフードと、
前記フードの前記上面から上方に突き出した壁部と、前記吸込口と向かい合うように前記壁部に設けられた開口部とを含む本体ケースと、
排気口が設けられかつ前記本体ケースの前記開口部に重なるように前記壁部に着脱可能に取り付けられる天板と、前記天板に取り付けられかつ前記吸込口および前記排気口に連通するファンケースと、前記ファンケースに収容されたファンとを含む天板セットとを備え、
前記ファンが前記開口部から前記壁部内に収容されるように前記天板が前記壁部に着脱可能に取り付けられることにより、前記天板セットは前記本体ケースに着脱可能に取り付けられる、レンジフード。
【請求項２】
前記吸込口に前記開口部が向かい合う方向と交差する交差方向に、前記排気口は前記ファンとずれて配置されており、
前記天板セットは、前記交差方向に前記排気口と前記ファンとの位置を入れ替えて前記本体ケースに取り付け可能に構成されている、請求項１に記載のレンジフード。
【請求項３】
前記天板セットは、取っ手を含み、
前記取っ手は、前記天板から上方に突き出している、請求項１または２に記載のレンジフード。
【請求項４】
前記本体ケースは、建物の壁に固定するための固定部材を含み、
前記固定部材は、前記建物の前記壁に固定されるように構成されている、請求項１〜３のいずれか１項に記載のレンジフード。
【請求項５】
前記壁部は角部を含み、
前記固定部材は、前記角部に沿って前記壁部から上方に突出しており、かつ互いに交差するように配置された第１部材および第２部材を含み、
前記天板は、互いに交差するように配置された第１辺部および第２辺部を含み、
前記第１辺部は、前記第１部材の内面に沿うように構成されており、
前記第２辺部は、前記第２部材の内面に沿うように構成されている、請求項４に記載のレンジフード。
【請求項６】
前記天板は、天井部と、前記天井部から下方に突出する突出部とを含み、
前記突出部は、前記壁部の外面に沿うように構成されている、請求項１〜５のいずれか１項に記載のレンジフード。
【請求項７】
前記排気口を排気ダクトに接続するための排気ダクト接続具をさらに備え、
前記排気ダクト接続具は、前記排気口に連通する第１開口と、前記排気ダクトに連通する第２開口とを含み、
前記第１開口と前記第２開口とは互いに交差する方向に開口しており、
前記排気ダクト接続具は、前記天板に着脱可能に取り付けられ、かつ、第１状態および前記第１状態から前記天板に沿って回転した第２状態のいずれかで前記天板に取り付けられる、請求項１〜６のいずれか１項に記載のレンジフード。
【発明の詳細な説明】
【技術分野】
【０００１】
本発明はレンジフードに関するものである。
【背景技術】
【０００２】
従来、レンジフードが設置される際、建物の壁に設けられた排気ダクト接続孔の位置にレンジフードの排気口の位置をあわせる作業が行われている。建物の壁に設けられた排気ダクト接続孔の位置に応じて排気口の位置を選択可能なレンジフードは、たとえば特開２０１６−２０５７５８号公報（特許文献１）に記載されている。
【０００３】
この公報に記載されたレンジフードでは、排気口を有する本体部がフードに着脱可能に取り付けられている。本体部にはファンなどが収容されている。本体部の壁部および天板は、一体的に構成されている。
【先行技術文献】
【特許文献】
【０００４】
【特許文献１】特開２０１６−２０５７５８号公報
【発明の概要】
【発明が解決しようとする課題】
【０００５】
上記公報に記載されたレンジフードでは、本体部の重量が重いため、フードに本外部を着脱する作業が難しい。したがって、排気ダクト接続孔の位置に応じて本体部の排気口の位置をあわせる作業が難しい。
【０００６】
本発明は、上記課題に鑑みてなされたものであり、その目的は、排気口の位置をあわせる作業が容易となるレンジフードを提供することである。
【課題を解決するための手段】
【０００７】
本発明のレンジフードは、フードと、本体ケースと、天板セットとを備えている。フードは上面および下面を有している。吸込口が下面に設けられている。本体ケースは、壁部と、開口部とを含んでいる。壁部は、フードの上面から上方に突き出している。開口部は、吸込口と向かい合うように壁部に設けられている。天板セットは、天板と、ファンケースと、ファンとを含んでいる。天板は、排気口が設けられかつ本体ケースの開口部に重なるように壁部に着脱可能に取り付けられる。ファンケースは、天板に取り付けられかつ吸込口および排気口に連通する。ファンは、ファンケースに収容されている。ファンが開口部から壁部内に収容されるように天板が壁部に着脱可能に取り付けられることにより、天板セットは本体ケースに着脱可能に取り付けられる。
【発明の効果】
【０００８】
本発明のレンジフードによれば、天板セットは本体ケースに着脱可能に取り付けられる。このため、天板セットの重量が軽くなるため、天板セットを本体ケースに取り付ける作業が容易となる。したがって、排気口の位置をあわせる作業が容易となる。
【０００９】
上記レンジフードにおいて、吸込口に開口部が向かい合う方向と交差する交差方向に、排気口はファンとずれて配置されている。天板セットは、交差方向に排気口とファンとの位置を入れ替えて本体ケースに取り付け可能に構成されている。このため、天板セットを排気口とファンとの位置を入れ替えて本体ケース２０に取り付けることができる。
【００１０】
上記レンジフードにおいて、天板セットは、取っ手を含んでいる。取っ手は、天板から上方に突き出している。このため、作業者が取っ手を掴んで天板セットを本体ケースに着脱することができる。これにより、作業性を向上させることができる。
【００１１】
上記レンジフードにおいて、本体ケースは、建物の壁に固定するための固定部材を含んでいる。固定部材は、建物の壁に固定されるように構成されている。このため、固定部材が建物の壁に固定されることにより、本体ケースを建物の壁に固定することができる。
【００１２】
上記レンジフードにおいて、壁部は角部を含んでいる。固定部材は、角部に沿って壁部から上方に突出している。固定部材は、互いに交差するように配置された第１部材および第２部材を含んでいる。天板は、互いに交差するように配置された第１辺部および第２辺部を含んでいる。第１辺部は、第１部材の内面に沿うように構成されている。第２辺部は、第２部材の内面に沿うように構成されている。このため、天板の第１辺部を固定部材の第１部材の内面に沿わせるとともに、天板の第２辺部を固定部材の第２部材の内面に沿わせることにより本体ケースに対する天板の位置を決めることができる。
【００１３】
上記レンジフードにおいて、天板は、天井部と、天井部から下方に突出する突出部とを含んでいる。突出部は、壁部の外面に沿うように構成されている。このため、突出部を壁部の外面に沿わせることにより、本体ケースに対する天板の位置を決めることができる。
【００１４】
上記レンジフードは、排気口を排気ダクトに接続するための排気ダクト接続具をさらに備えている。排気ダクト接続具は、排気口に連通する第１開口と、排気ダクトに連通する第２開口とを含んでいる。第１開口と第２開口とは互いに交差する方向に開口している。排気ダクト接続具は、天板に着脱可能に取り付けられ、かつ第１状態および第１状態から天板に沿って回転した第２状態のいずれかで天板に取り付けられる。
【００１５】
このため、排気ダクト接続具により排気口と排気ダクトとを互いに交差する方向に接続することができる。したがって、排気ダクト接続具により排気口の位置をあわせる作業の自由度を向上させることができる。
【図面の簡単な説明】
【００１６】
【図１】本発明の実施の形態１に係るレンジフードの構成を上方から示す斜視図である。
【図２】本発明の実施の形態１に係るレンジフードの構成を下方から示す斜視図である。
【図３】図２に示されるレンジフードの整流板が取り外された状態を示す斜視図である。
【図４】図１に示されるレンジフードが建物の壁に固定された状態での図１のＩＶ−ＩＶ線に沿う断面図である。
【図５】本発明の実施の形態１に係るレンジフードの天板セットの構成を示す斜視図である。
【図６】本発明の実施の形態１に係るレンジフードのフードおよび本体ケースの構成を上方から示す斜視図である。
【図７】本発明の実施の形態１に係るレンジフードのフードおよび本体ケースの構成を下方から示す斜視図である。
【図８】本発明の実施の形態１に係るレンジフードの天板セットのネジが外された状態を示す斜視図である。
【図９】図８に示されるレンジフードの天板セットが本体ケースから取り外された状態を示す斜視図である。
【図１０】図９に示されるレンジフードの天板セットの左右が入れ替えられた状態を示す斜視図である。
【図１１】図１０に示されるレンジフードの天板セットが本体ケースに取り付けられた状態を示す斜視図である。
【図１２】本発明の実施の形態２に係るレンジフードの構成を上方から示す斜視図である。
【図１３】本発明の実施の形態２に係るレンジフードの排気ダクト接続具を示す正面図である。
【図１４】図１３のＸＩＶ−ＸＩＶ線に沿う断面図である。
【発明を実施するための形態】
【００１７】
以下、本発明の実施の形態について図に基づいて説明する。なお、以下の図においては、同一または相当する部分に同一の符号を伏すものとし、重複する説明は繰り返さない。
【００１８】
（実施の形態１）
図１〜図７を参照して、本発明の実施の形態１に係るレンジフード１の構成について説明する。本発明の実施の形態１では、レンジフード１が設置された状態に基づいて説明する。レンジフード１が設置された状態では、レンジフード１の下部にフード１０が配置される。
【００１９】
図１に示されるように、本発明の実施の形態１に係るレンジフード１は、たとえばコンロ（図示せず）の上方に配置されるものである。本発明の実施の形態１に係るレンジフード１は、フード１０と、本体ケース２０と、天板セット３０とを備えている。
【００２０】
図１および図２に示されるように、フード１０は、上面１０ａ、下面１０ｂ、前面１０ｃ、後面１０ｄ、右側面１０ｅ、左側面１０ｆを有している。フード１０の下面１０ｂには吸込口１１が設けられている。フード１０の吸込口１１の内側には、整流板１２と、内装パネル１３とが装着されている。整流板１２は、吸込口１１の中央を覆うように配置されており、吸込口１１の外縁部には配置されていない。整流板１２と、内装パネルとの間に隙間１４が設けられている。整流板１２と、内装パネル１３との間の隙間１４は、吸込口１１の外縁部に配置されている。
【００２１】
図２および図３に示されるように、吸込口１１および整流板１２は、平面視において略長方形状を有している。整流板１２と、内装パネル１３との間の隙間１４は、平面視において環状に設けられている。整流板１２と、内装パネル１３との間の隙間１４は、本体ケース２０の内部に通じている。
【００２２】
図４に示されるように、本体ケース２０の内部空間２０ａには、天板セット３０のファンケース３２、ファン３３、スピンナー３４およびモータ３５などが配置されている。なお、ファンケース３２の下端の一部はフード１０の内部に配置されている。
【００２３】
本体ケース２０は、フード１０の上面１０ａに接続されている。本体ケース２０は、フード１０の前面１０ｃよりも後面１０ｄの近くに配置されている。本体ケース２０は、前後方向において中心よりも後側に配置されている。本体ケース２０は、右側面１０ｅと左側面１０ｆとの間の中央に配置されている。本体ケース２０は、左右方向において中央に配置されている。本体ケース２０は、枠状に構成されている。本体ケース２０は、平面視において矩形の形状を有している。本発明の実施の形態１では、本体ケース２０は、平面視において略長方形状を有している。
【００２４】
本体ケース２０は、壁部２１と、開口部２２とを含んでいる。壁部２１は、フード１０の上面１０ａから上方に突き出している。壁部２１は、本体ケース２０の内部空間２０ａを周方向に取り囲むように構成されている。壁部２１は、略角筒形状を有している。壁部２１の上下方向の寸法は、フード１０の上下方向の寸法よりも大きい。開口部２２は、吸込口１１と向かい合うように壁部２１に設けられている。開口部２２は、壁部２１の上端２１ａに設けられている。開口部２２は、平面視において略長方形状を有している。
【００２５】
図４および図５に示されるように、天板セット３０は、天板３１、ファンケース３２、ファン３３、スピンナー３４、モータ３５、化粧板３６、制御装置３７および取っ手ＨＰなどを含んでいる。
【００２６】
天板３１は、上面および下面を含んでいる。天板３１には排気口３１ａが設けられている。排気口３１ａは、天板３１の上面および下面を貫通するように設けられている。排気口３１ａは、平面視において略砲弾形状を有している。
【００２７】
図４および図６に示されるように、天板３１は、本体ケース２０の開口部２２に重なるように壁部２１に着脱可能に取り付けられる。本発明の実施の形態１では、天板３１は、壁部２１の上端２１ａに載置された状態で、ビスなどにより壁部２１に着脱可能に取り付けられている。
【００２８】
図４および図５に示されるように、ファンケース３２は、天板３１に取り付けられている。具体的には、ファンケース３２は、天板３１の下面に固定されている。ファンケース３２は、吸込口１１および排気口３１ａに連通するように構成されている。ファンケース３２は、流入口３２ａと、流出口３２ｂと、流入口３２ａから流出口３２ｂに至る内部空間３２ｃとを含んでいる。
【００２９】
図３および図４に示されるように、ファンケース３２の底面に流入口３２ａが設けられている。ファンケース３２の流入口３２ａは、フード１０の吸込口１１に連通するように構成されている。ファンケース３２の内部空間３２ｃは、流入口３２ａを通って、整流板１２と、内装パネル１３との間の隙間１４に通じている。
【００３０】
図４および図５に示されるように、ファンケース３２の天面に流出口３２ｂが設けられている。ファンケース３２の流出口３２ｂは、天板３１の排気口３１ａに連通するように構成されている。ファンケース３２の内部空間３２ｃは、流出口３２ｂおよび天板３１の排気口３１ａを通じて、排気ダクト（図示せず）に接続されている。
【００３１】
ファン３３は、ファンケース３２に収容されている。ファン３３は、ファンケース３２の流入口３２ａから内部空間３２ｃを通って流出口３２ｂに空気を流すように構成されている。ファン３３は、ファンケース３２の内部空間３２ｃにおいて流入口３２ａの上方に配置されている。ファン３３は、フード１０の吸込口１１から流入口３２ａを通じて内部空間３２ｃに空気を吸込み、流出口３２ｂを通じて天板３１の排気口３１ａから空気を吹き出すように構成されている。
【００３２】
フード１０の吸込口１１に本体ケース２０の開口部２２が向かい合う方向Ｄ１と交差する交差方向Ｄ２に、天板３１の排気口３１ａはファン３３とずれて配置されている。天板３１の排気口３１ａおよびファン３３は、平面視における天板３１の中心Ｏに対してずれるように配置されている。天板３１の排気口３１ａおよびファン３３は、平面視において天板３１の中心Ｏに対して偏心した位置に配置されている。天板３１の排気口３１ａおよびファン３３は交差方向Ｄ２に並んで配置されている。
【００３３】
ファン３３は、排気用ファン３３ａと、支持部材３３ｂとを含んでいる。排気用ファン３３ａは、たとえばシロッコファンである。排気用ファン３３ａは、複数のブレード３３ａ１を含んでいる。複数のブレード３３ａ１は、排気用ファン３３ａの周方向に一定のピッチで配置されている。支持部材３３ｂは、排気用ファン３３ａを支持している。具体的には、支持部材３３ｂは、複数のブレード３３ａ１の上端を支持している。支持部材３３ｂは、円環形状を有している。
【００３４】
スピンナー３４は、排気用ファン３３ａの支持部材３３ｂの下方に配置されている。スピンナー３４は、ファン３３をモータ３５に接続可能に構成されている。ファン３３は、スピンナー３４によってモータ３５に着脱可能に取り付けられている。
【００３５】
モータ３５は、たとえばＡＣ（Alternating  Current）モータである。モータ３５は、ファンケース３２に固定されている。モータ３５の一部はファンケース３２の内部空間３２ｃに配置されている。モータ３５は、モータ本体３５ａと、回転軸３５ｂとを含んでいる。回転軸３５ｂは、ファンケース３２の内部空間３２ｃにおいてモータ本体３５ａの下端から下方に延びている。モータ３５の回転軸３５ｂにファン３３およびスピンナー３４が取り付けられている。
【００３６】
図３および図５に示されるように、化粧板３６は、内装パネル１３に設けられた開口１３ａとファンケース３２の流入口３２ａとの間の領域を覆うように構成されている。内装パネル１３の開口１３ａは、平面視において前後方向の寸法よりも左右方向の寸法が大きくなるように構成されている。ファンケース３２の流入口３２ａは、平面視において内装パネル１３の開口１３ａの内側に配置されている。
【００３７】
図５および図７に示されるように、天板セット３０が本体ケース２０から取り外されることにより、天板セット３０の化粧板３６などが内装パネル１３から取り外される。これにより、内装パネル１３の開口１３ａの全体が開放される。
【００３８】
制御装置３７は、レンジフード１を制御するように構成されている。制御装置３７は、演算、指示等を行ってレンジフード１の各手段、機器等を制御するように構成されている。制御装置３７は、モータ３５および操作スイッチ（図示せず）などに電気的に接続されており、これらの動作を制御するように構成されている。
【００３９】
図１および図４に示されるように、天板セット３０の天板３１には取っ手ＨＰが接続されている。取っ手ＨＰは、天板３１から上方に突き出している。取っ手ＨＰは、天板３１の上面に取り付けられている。取っ手ＨＰは、ファン３３の上方に配置されている。取っ手ＨＰは、略Ｕ字形状を有している。
【００４０】
本体ケース２０は、建物の壁ＷＰに固定するための固定部材ＦＰを含んでいる。固定部材ＦＰは、建物の壁ＷＰに固定されるように構成されている。本発明の実施の形態１では、固定部材ＦＰには複数の取付孔ＴＨが設けられている。複数の取付孔ＴＨを通してネジが建物の壁ＷＰに固定されることにより、固定部材ＦＰは建物の壁ＷＰに固定される。
【００４１】
本体ケース２０の壁部２１は、角部ＣＰを含んでいる。角部ＣＰは、平面視において本体ケース２０の壁部２１の角に位置している。固定部材ＦＰは、角部ＣＰに沿って本体ケース２０の壁部２１から上方に突出している。固定部材ＦＰは、互いに交差するように配置された第１部材Ｆ１および第２部材Ｆ２を含んでいる。第１部材Ｆ１は、平面視において、壁部２１の長辺に沿って配置されている。第２部材Ｆ２は、平面視において、壁部２１の短辺に沿って配置されている。本実施の形態では、２つの第２部材Ｆ２が設けられている。２つの第２部材Ｆ２は、交差方向Ｄ２に互いに向かい合うように配置されている。天板セット３０の天板３１は、互いに交差するように配置された第１辺部Ｅ１および第２辺部Ｅ２を含んでいる。第１辺部Ｅ１は、平面視において、壁部２１の長辺に沿って配置されている。第２辺部Ｅ２は、平面視において、壁部２１の短辺に沿って配置されている。第１辺部Ｅ１は、第１部材Ｆ１の内面に沿うように構成されている。第２辺部Ｅ２は、第２部材Ｆ２の内面に沿うように構成されている。
【００４２】
天板３１は、天井部３１ｂと、突出部３１ｃとを含んでいる。天井部３１ｂは、本体ケース２０の壁部２１に載置されている。突出部３１ｃは、天井部３１ｂから下方に突出するように構成されている。突出部３１ｃは、本体ケース２０の壁部２１の上部に配置されている。突出部３１ｃは、本体ケース２０の壁部２１の外面に沿うように構成されている。本発明の実施の形態１では、天板３１は、２つの突出部３１ｃを含んでいる。２つの突出部３１ｃは、交差方向Ｄ２に互いに向かい合うように配置されている。
【００４３】
図５および図６に示されるように、天板セット３０は、全体として本体ケース２０に着脱可能に取り付けられるように構成されている。天板セット３０のファン３３が本体ケース２０の開口部２２から壁部２１内に収容されるように天板３１が壁部２１に着脱可能に取り付けられることにより、天板セット３０は本体ケース２０に着脱可能に取り付けられる。また、天板セット３０が本体ケース２０に取り付けられる際には、天板セット３０のファンケース３２、ファン３３、スピンナー３４、モータ３５、化粧板３６および制御装置３７が一体として本体ケース２０の開口部２２から壁部２１内に収容される。天板セット３０は、天板セット３０が本体ケース２０に取り付けられる際に、天板３１の排気口３１ａの位置を本体ケース２０に対して変化可能に構成されている。
【００４４】
本発明の実施の形態１では、天板セット３０は、フード１０の吸込口１１に本体ケース２０の開口部２２が向かい合う方向Ｄ１と交差する交差方向Ｄ２に排気口３１ａとファン３３との位置を入れ替えて本体ケース２０に取り付け可能に構成されている。天板セット３０は、左右を入れ替えて本体ケース２０に取り付け可能に構成されている。天板セット３０は、天板３１の中心Ｏを通りかつ天板３１に対して垂直な中心軸ＣＡを中心にして１８０度回転して本体ケース２０に取り付け可能に構成されている。
【００４５】
図８〜図１１を参照して、本発明の実施の形態１に係るレンジフード１において、本体ケース２０に対して天板セット３０が入れ替えられる手順について説明する。入れ替え作業は、レンジフード１が建物の壁ＷＰ（図４参照）に設置される前でも設置された後でも実施可能である。
【００４６】
図８に示されるように、本体ケース２０の壁部２１に天板３１を固定しているネジが取り外されることにより、本体ケース２０の壁部２１に対する天板３１の固定が解除される。これにより、天板セット３０は、本体ケース２０から分離可能となる。
【００４７】
続いて、図９に示されるように、作業者が取っ手ＨＰを掴み、天板セット３０を上方に持ち上げることで、本体ケース２０の開口部２２を通って壁部２１内から天板セット３０のファンケース３２およびファン３３などが抜き取られる。これにより、本体ケース２０から天板セット３０が取り外される。
【００４８】
図１０に示されるように、本体ケース２０から天板セット３０が取り外された状態で、天板セット３０が天板３１の中心軸ＣＡを中心にして１８０度回転される。つまり、天板セット３０の左右が入れ替えられる。
【００４９】
図１１に示されるように、天板セット３０が天板３１の中心軸ＣＡを中心にして１８０度回転された状態で、天板セット３０のファンケース３２およびファン３３などが本体ケース２０の開口部２２から壁部２１内に収容される。そして、天板セット３０のファンケース３２およびファン３３などが本体ケース２０に収容された状態で、天板３１が本体ケース２０の壁部２１にネジで固定される。これにより、天板セット３０が本体ケース２０に取り付けられる。このようにして、天板セット３０の左右の入れ替え作業が実施される。
【００５０】
次に、本発明の実施の形態１に係るレンジフード１の作用効果について説明する。
本発明の実施の形態１に係るレンジフード１によれば、天板セット３０は本体ケース２０に着脱可能に取り付けられる。このため、天板セット３０の重量が軽くなるため、天板セット３０を本体ケース２０に取り付ける作業が容易となる。したがって、排気口３１ａの位置をあわせる作業が容易となる。
【００５１】
また、本体ケース２０の壁部２１がフード１０の上面１０ａから上方に突き出しているため、天板セット３０のファン３３を本体ケース２０の開口部２２から壁部２１内に収容することが容易となる。
【００５２】
本発明の実施の形態１に係るレンジフード１において、天板セット３０は、交差方向Ｄ２に排気口３１ａとファン３３との位置を入れ替えて本体ケース２０に取り付け可能に構成されている。このため、天板セット３０を排気口３１ａとファン３３との位置を入れ替えて本体ケース２０に取り付けることができる。
【００５３】
これにより、施工環境およびオーダーミスなどにより左右排気方向を入れ替える必要が生じた場合に、天板セット３０の左右を入れ替えて天板セット３０を本体ケース２０に取り付けることができる。したがって、左右排気方向のそれぞれについて在庫を持つ必要が無いため、在庫を半減させることができる。また、左右排気方向のそれぞれについて専用の部品を用いる必要が無いため、部品を共通化することができるとともに組み間違いを防止することができる。さらに、天板セット３０とともに本体ケース２０の左右を入れ替える場合に比べて少ない工数で左右排気方向の入れ替えが可能となる。
【００５４】
本発明の実施の形態１に係るレンジフード１において、取っ手ＨＰは、天板３１から上方に突き出している。このため、作業者が取っ手ＨＰを掴んで天板セット３０を本体ケース２０に着脱することができる。これにより、作業性を向上させることができる。
【００５５】
本発明の実施の形態１に係るレンジフード１において、固定部材ＦＰは、建物の壁ＷＰに固定されるように構成されている。このため、固定部材ＦＰが建物の壁ＷＰに固定されることにより、本体ケース２０を建物の壁ＷＰに固定することができる。また、固定部材ＦＰにより本体ケース２０が建物の壁ＷＰに固定された状態で、天板セット３０を本体ケース２０に着脱することができる。
【００５６】
本発明の実施の形態１に係るレンジフード１において、天板３１の第１辺部Ｅ１は、固定部材ＦＰの第１部材Ｆ１の内面に沿うように構成されている。天板３１の第２辺部Ｅ２は、固定部材ＦＰの第２部材Ｆ２の内面に沿うように構成されている。このため、天板３１の第１辺部Ｅ１を固定部材ＦＰの第１部材Ｆ１の内面に沿わせるとともに、天板３１の第２辺部Ｅ２を固定部材ＦＰの第２部材Ｆ２の内面に沿わせることにより本体ケース２０に対する天板３１の位置を決めることができる。
【００５７】
本発明の実施の形態１に係るレンジフード１において、天板３１は天井部３１ｂから下方に突出する突出部３１ｃを含んでおり、突出部３１ｃは壁部２１の外面に沿うように構成されている。このため、突出部３１ｃを壁部２１の外面に沿わせることにより、本体ケース２０に対する天板３１の位置を決めることができる。
【００５８】
（実施の形態２）
図１２〜図１４を参照して、本発明の実施の形態２に係るレンジフード１の構成について説明する。本発明の実施の形態２に係るレンジフード１の構成は、実施の形態１に係るレンジフード１の構成と比較して、排気ダクト接続具５０を備えている点で異なっている。
【００５９】
図１２に示されるように、本発明の実施の形態２に係るレンジフード１は、排気ダクト接続具５０を備えている。排気ダクト接続具５０は、天板３１の排気口３１ａを排気ダクト（図示せず）に接続するためのものである。排気ダクト接続具５０は、継手部材である。排気ダクト接続具５０は、天板３１に着脱可能に取り付けられる。
【００６０】
図１３および図１４に示されるように、排気ダクト接続具５０は、接続具本体５１と、フランジ部５２と、ダクト接続部５３と、シャッター部材５４とを含んでいる。接続具本体５１は、管形状を有している。接続具本体５１の一方端にフランジ部５２が接続されており、接続具本体５１の他方端にダクト接続部５３が接続されている。
【００６１】
フランジ部５２は、接続具本体５１の外周面から外方に張り出している。フランジ部５２は、天板３１に着脱可能に取り付けられる。フランジ部５２は、平面視において略正方形状を有している。ダクト接続部５３は、排気ダクト（図示せず）に接続される。ダクト接続部５３は、略円筒形状を有している。ダクト接続部５３は、接続具本体５１に接続された根元から先端に向けて径が小さくなるように構成されている。
【００６２】
シャッター部材５４は、排気ダクト（図示せず）から排気ダクト接続具５０を通って排気口３１ａへ流れる逆風を抑制するためのものである。シャッター部材５４は、ダクト接続部５３の流路に配置されている。シャッター部材５４には、ダクト接続部５３の流路に連通する貫通孔５４ａが設けられている。
【００６３】
シャッター部材５４は、ダクト接続部５３に設けられた軸部５３ａに回転可能に取り付けられている。シャッター部材５４は、排気ダクト（図示せず）から排気口３１ａへ向けて風が流れる場合には、ダクト接続部５３の流路を覆うように構成されている。また、シャッター部材５４は、排気口３１ａから排気ダクト（図示せず）へ向けて風が流れる場合には、軸部５３ａを中心にして回転することでダクト接続部５３の流路を開くように構成されている。ダクト接続部５３には、シャッター部材５４の回転角度が大きくなり過ぎることを防ぐためのストッパー部材５３ｂが設けられている。
【００６４】
排気ダクト接続具５０は、第１開口ＯＰ１と、第２開口ＯＰ２とを含んでいる。第１開口ＯＰ１は、天板３１の排気口３１ａに連通するように構成されている。第１開口ＯＰ１は、接続具本体５１の一方端に設けられている。第１開口ＯＰ１は、略正方形状を有している。第２開口ＯＰ２は、排気ダクト（図示せず）に連通するように構成されている。第２開口ＯＰ２は、ダクト接続部５３の先端に設けられている。第２開口ＯＰ２は、略円形状を有している。
【００６５】
排気ダクト接続具５０の第１開口ＯＰ１と第２開口ＯＰ２とは互いに交差する方向に開口している。つまり、排気ダクト接続具５０の第１開口ＯＰ１と第２開口ＯＰ２とは互いに異なる方向に開口している。本発明の実施の形態２では、排気ダクト接続具５０の第１開口ＯＰ１と第２開口ＯＰ２とは互いに９０度異なる方向に開口している。
【００６６】
排気ダクト接続具５０は、複数の状態で天板セット３０の天板３１に取り付けられるように構成されている。排気ダクト接続具５０は、第１状態と、第２状態とで天板３１に取り付けられる。第１状態は、たとえば図１２に示される状態である。第２状態は、第１状態から天板３１に沿って回転した状態である。第２状態は、たとえば第１状態から天板３１に沿って第１開口ＯＰ１の中心軸ＤＰを中心にして９０度または１８０度回転した状態である。
【００６７】
次に、本発明の実施の形態２に係るレンジフード１の作用効果について説明する。
本発明の実施の形態２に係るレンジフード１によれば、排気ダクト接続具５０により排気口３１ａと排気ダクト（図示せず）とを互いに交差する方向に接続することができる。したがって、排気ダクト接続具５０により排気口３１ａの位置をあわせる作業の自由度を向上させることができる。
【００６８】
なお、上記の本発明の実施の形態１および２では、本体ケース２０は平面視において長方形状を有している場合について説明したが、本体ケース２０の形状はこれに限定されない。本体ケース２０は、たとえば、平面視において略正方形状を有していてもよい。この場合には、天板セット３０は、天板３１の中心軸ＣＡを中心にして９０度回転させて、本体ケース２０に着脱可能に取り付けられてもよい。これにより、天板セット３０の左右を入れ替えるだけでなく、天板セット３０の前後を入れ替えるなど、天板セット３０の配置の自由度を向上させることができる。したがって、天板セット３０の排気口３１ａの位置をあわせる自由度を向上させることができる。よって、天板セット３０の排気口３１ａの位置をあわせる作業がさらに容易となる。
【００６９】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００７０】
１  レンジフード、１０  フード、１０ａ  上面、１０ｂ  下面、１１  吸込口、１２  整流板、１３  内装パネル、１３ａ  開口、１４  隙間、２０  本体ケース、２１  壁部、２１ａ  上端、２２  開口部、３０  天板セット、３１  天板、３１ａ  排気口、３１ｂ  天井部、３１ｃ  突出部、３２  ファンケース、３２ａ  流入口、３２ｂ  流出口、３３  ファン、３３ａ  排気用ファン、３３ｂ  支持部材、３４  スピンナー、３５  モータ、３５ａ  モータ本体、３５ｂ  回転軸、３６  化粧板、３７  制御装置、５０  排気ダクト接続具、５１  接続具本体、５２  フランジ部、５３  ダクト接続部、５３ａ  軸部、５３ｂ  ストッパー部材、５４  シャッター部材、５４ａ  貫通孔、ＡＰ  隅部、ＣＰ  角部、Ｄ１  吸込口に開口部が向かい合う方向、Ｄ２  交差方向、Ｅ１  第１辺部、Ｅ２  第２辺部、ＦＰ  固定部材、Ｆ１  第１部材、Ｆ２  第２部材、ＨＰ  取っ手、ＯＰ１  第１開口、ＯＰ２  第２開口、ＷＰ  建物の壁。
【図１】
2020106190.tif 000003
【図２】
2020106190.tif 000004
【図３】
2020106190.tif 000005
【図４】
2020106190.tif 000006
【図５】
2020106190.tif 000007
【図６】
2020106190.tif 000008
【図７】
2020106190.tif 000009
【図８】
2020106190.tif 000010
【図９】
2020106190.tif 000011
【図１０】
2020106190.tif 000012
【図１１】
2020106190.tif 000013
【図１２】
2020106190.tif 000014
【図１３】
2020106190.tif 000015
【図１４】
2020106190.tif 000016